(57)【特許請求の範囲】
【請求項１】
携帯端末、サーバ装置、及びプリンタを備えるサーバシステムであって、
前記サーバ装置は、
前記携帯端末から画像データ及び動画データを受信する受信部と、
前記画像データ及び前記動画データに識別情報を付与して保存する記憶部と、
前記サーバ装置にアクセスするための位置情報と、前記識別情報とを含む保存場所情報をコード化してコード画像を生成するコード化処理部と、
前記画像データに前記コード画像を合成して合成画像を生成する画像合成部と、
前記プリンタを制御して、前記合成画像がプリントされたプリント物を作成させるプリント制御部と、
前記プリント物から前記コード画像を読み取り、読み取ったコード画像から前記保存場所情報を取得してアクセスしてきた前記携帯端末に対し、前記保存場所情報に含まれる前記識別情報に対応する前記画像データを送信する画像データ送信部及び前記動画データを送信する動画データ送信部と、
を有し、
前記携帯端末は、前記プリント物から読み取った画像の特徴点と、前記画像データ送信部から送信された前記画像データの特徴点とを比較し、特徴点が一致した場合に、前記サーバ装置に対し動画データを要求し、
前記動画データ送信部は、前記携帯端末からの要求に応じて、前記動画データを前記携帯端末へ送信することを特徴とするサーバシステム。
【請求項２】
携帯端末、サーバ装置、及びプリンタを備えるサーバシステムであって、
前記サーバ装置は、
前記携帯端末から画像データを受信する受信部と、
前記画像データと予め保存している動画データとを組み合わせ、識別情報を付与して保存する記憶部と、
前記サーバ装置にアクセスするための位置情報と、前記識別情報とを含む保存場所情報をコード化してコード画像を生成するコード化処理部と、
前記画像データに前記コード画像を合成して合成画像を生成する画像合成部と、
前記プリンタを制御して、前記合成画像がプリントされたプリント物を作成させるプリント制御部と、
前記プリント物から前記コード画像を読み取り、読み取ったコード画像から前記保存場所情報を取得してアクセスしてきた前記携帯端末に対し、前記保存場所情報に含まれる前記識別情報に対応する前記画像データを送信する画像データ送信部及び前記動画データを送信する動画データ送信部と、
を有し、
前記携帯端末は、前記プリント物から読み取った画像の特徴点と、前記画像データ送信部から送信された前記画像データの特徴点とを比較し、特徴点が一致した場合に、前記サーバ装置に対し動画データを要求し、
前記動画データ送信部は、前記携帯端末からの要求に応じて、前記動画データを前記携帯端末へ送信することを特徴とするサーバシステム。
【請求項３】
前記サーバ装置から前記画像データ及び前記動画データを受信して保存する追加サーバをさらに備え、
前記コード化処理部は、前記追加サーバにアクセスするための位置情報を含む前記保存場所情報をコード化してコード画像を生成し、
前記追加サーバは、前記プリント物から前記コード画像を読み取り、読み取ったコード画像から前記保存場所情報を取得してアクセスしてきた携帯端末に対し、前記動画データを送信することを特徴とする請求項１又は２に記載のサーバシステム。
【請求項４】
携帯端末が、画像データ及び動画データをサーバ装置へ送信するステップと、
前記サーバ装置が、前記画像データ及び前記動画データに識別情報を付与して保存し、前記サーバ装置にアクセスするための位置情報と、前記識別情報とを含む保存場所情報をコード化してコード画像を生成し、前記画像データに前記コード画像を合成して合成画像を生成するステップと、
プリンタが、前記合成画像を印画紙にプリントしてプリント物を作成するステップと、
前記携帯端末が、カメラを用いて、前記プリント物にプリントされたコード画像を読み取って前記保存場所情報を取得し、前記保存場所情報に基づいて前記サーバ装置にアクセスして前記画像データを取得し、前記プリント物から読み取った画像の特徴点と、前記サーバ装置から取得した前記画像データの特徴点とを比較し、特徴点が一致した場合に、前記サーバ装置に対し動画データを要求するステップと、
前記サーバ装置が、前記携帯端末からの要求に応じて、前記動画データを前記携帯端末へ送信するステップと、
前記携帯端末が、前記サーバ装置から取得した前記動画データを、前記カメラで撮影している前記プリント物の画像に重畳させて再生するステップと、
を備える動画データ配信方法。
【発明の詳細な説明】
【技術分野】
【０００１】
本発明は、携帯端末においてＡＲ技術により動画を再生するためのサーバ装置、サーバシステム、及び動画データ配信方法に関する。
【背景技術】
【０００２】
イベントの際に撮影した画像を複数のイベント参加者の間で共有するために、デジタルカメラから無線で送信された画像を印刷する印刷機を備えた写真サービスシステムが提案されている（例えば特許文献１参照）。
【０００３】
また、タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献２、３参照）。
【先行技術文献】
【特許文献】
【０００４】
【特許文献１】特開２００１−１９７４０７号公報
【特許文献２】特開２０１１−８７５２号公報
【特許文献３】特表２０１２−５０３２２８号公報
【発明の概要】
【発明が解決しようとする課題】
【０００５】
本発明は、イベント会場等において、イベント参加者が携帯端末で撮影した画像がプリントされたプリント物を作成すると共に、このプリント物に動画が重畳して再生されるように携帯端末へ動画データを配信するサーバ装置、サーバシステム、及び動画データ配信方法を提供することを課題とする。
【課題を解決するための手段】
【０００６】
本発明の一態様によるサーバ装置は、携帯端末と通信を行うサーバ装置であって、携帯端末から画像データ及び動画データを受信する受信部と、前記画像データ及び前記動画データに識別情報を付与して保存する記憶部と、前記サーバ装置にアクセスするための位置情報と、前記識別情報とを含む保存場所情報をコード化してコード画像を生成するコード化処理部と、前記画像データに前記コード画像を合成して合成画像を生成する画像合成部と、プリンタを制御して、前記合成画像がプリントされたプリント物を作成させるプリント制御部と、前記プリント物から前記コード画像を読み取り、読み取ったコード画像から前記保存場所情報を取得してアクセスしてきた携帯端末に対し、前記保存場所情報に含まれる前記識別情報に対応する前記動画データを送信する動画データ送信部と、を備えるものである。
【０００７】
本発明の一態様によるサーバ装置は、前記保存場所情報を取得してアクセスしてきた携帯端末に対し、前記保存場所情報に含まれる前記識別情報に対応する前記画像データを送信する画像データ送信部をさらに備え、前記動画データ送信部は、アクセスしてきた携帯端末が前記プリント物から読み取った画像の特徴点と、前記画像データ送信部が送信した前記画像データの特徴点とが一致した場合に、前記動画データを送信することを特徴とする。
【０００８】
本発明の一態様によるサーバ装置は、携帯端末と通信を行うサーバ装置であって、携帯端末から画像データを受信する受信部と、前記画像データと予め保存している動画データとを組み合わせ、識別情報を付与して保存する記憶部と、前記サーバ装置にアクセスするための位置情報と、前記識別情報とを含む保存場所情報をコード化してコード画像を生成するコード化処理部と、前記画像データに前記コード画像を合成して合成画像を生成する画像合成部と、プリンタを制御して、前記合成画像がプリントされたプリント物を作成させるプリント制御部と、前記プリント物から前記コード画像を読み取り、読み取ったコード画像から前記保存場所情報を取得してアクセスしてきた携帯端末に対し、前記保存場所情報に含まれる前記識別情報に対応する前記動画データを送信する動画データ送信部と、を備えるものである。
【０００９】
本発明の一態様によるサーバシステムは、上記サーバ装置と、前記サーバ装置から受信した前記合成画像を印画紙にプリントして前記プリント物を作成するプリンタと、を備えるものである。
【００１０】
本発明の一態様によるサーバシステムは、前記サーバ装置から前記画像データ及び前記動画データを受信して保存する追加サーバをさらに備え、前記コード化処理部は、前記追加サーバにアクセスするための位置情報を含む前記保存場所情報をコード化してコード画像を生成し、前記追加サーバは、前記プリント物から前記コード画像を読み取り、読み取ったコード画像から前記保存場所情報を取得してアクセスしてきた携帯端末に対し、前記動画データを送信することを特徴とする。
【００１１】
本発明の一態様による動画データ配信方法は、携帯端末が、画像データ及び動画データをサーバ装置へ送信するステップと、前記サーバ装置が、前記画像データ及び前記動画データに識別情報を付与して保存し、前記サーバ装置にアクセスするための位置情報と、前記識別情報とを含む保存場所情報をコード化してコード画像を生成し、前記画像データに前記コード画像を合成して合成画像を生成するステップと、プリンタが、前記合成画像を印画紙にプリントしてプリント物を作成するステップと、携帯端末が、カメラを用いて、前記プリント物にプリントされたコード画像を読み取って前記保存場所情報を取得し、前記保存場所情報に基づいて前記サーバ装置にアクセスして前記動画データを取得し、前記動画データを、前記カメラで撮影している前記プリント物の画像に重畳させて再生するステップと、を備えるものである。
【発明の効果】
【００１２】
本発明によれば、イベント会場等において、イベント参加者が携帯端末で撮影した画像がプリントされたプリント物を作成すると共に、このプリント物に動画が重畳して再生されるように携帯端末へ動画データを配信することができる。
【図面の簡単な説明】
【００１３】
【図１】本実施形態に係るサーバシステムが設置されたイベント会場の概念図である。
【図２】プリンタから出力されるプリント物の例を示す図である。
【図３】携帯端末の構成図である。
【図４】登録再生アプリを実行することで実現される機能ブロック図である。
【図５】制御装置の構成図である。
【図６】本実施形態に係る動画データ配信方法を説明するシーケンス図である。
【発明を実施するための形態】
【００１４】
以下、本発明の実施の形態を図面に基づいて説明する。
【００１５】
図１は、本実施形態に係る印刷制御及び動画データ配信制御を行うサーバシステムが設置されたイベント会場の概念図である。サーバシステムは、携帯端末４から画像データ及び動画データを受信すると共に、携帯端末４へ動画データを配信する制御装置１と、プリント物３を作成するプリンタ２とを備える。携帯端末４は、カメラが搭載されたスマートフォンやタブレット機器等の通信端末である。制御装置（ローカルサーバ装置）１は、ローカルエリアネットワーク内で、イベント会場内に存在する複数の携帯端末４と通信できるようになっている。
【００１６】
携帯端末４は、イベント会場で撮影した画像及び動画のデータを制御装置１に送信して登録する。制御装置１は、携帯端末４から受信した画像データ及び動画データを紐付けて保存し、この画像データ及び動画データの組み合わせを識別するコンテンツＩＤを生成する。
【００１７】
制御装置１は、制御装置１にアクセスするための位置情報（ＵＲＬ）と、コンテンツＩＤとを含むデータ保存場所情報を作成し、このデータ保存場所情報をコード化して二次元コードを生成する。そして、制御装置１は、二次元コード画像と、携帯端末４から受信した画像データの画像とを合成して合成画像を生成し、プリンタ２を制御して、合成画像を印画紙にプリントしてプリント物３を出力する。これにより、図２に示すように、画像３１及び二次元コード３２がプリントされたプリント物３が作成される。
【００１８】
ユーザが携帯端末４のカメラでプリント物３上の二次元コード３２を撮影すると、携帯端末４は二次元コード３２を読み取ってデータ保存場所情報を取得し、制御装置１にアクセスする。携帯端末４は、制御装置１から、データ保存場所情報に含まれるコンテンツＩＤに対応する画像データを取得するとともに、携帯端末４のカメラでプリント物３の画像３１を撮影するようユーザに指示する。
【００１９】
ユーザが携帯端末４のカメラで画像３１を撮影すると、携帯端末４は、撮影された画像３１と、制御装置１から取得した画像との特徴点を比較して照合する。照合により２つの画像が一致した場合、携帯端末４はサーバ装置１から画像３１に対応する動画データを取得し、ディスプレイ上で動画を再生する。動画再生には公知のＡＲ技術が用いられ、携帯端末４のカメラで撮影しているプリント物３に動画が重畳して再生される。
【００２０】
このように、本実施形態によるサーバシステムでは、ユーザが携帯端末４で撮影した画像及び動画を制御装置１に登録すると、撮影した画像３１と、データ保存場所情報の二次元コード３２とがプリントされたプリント物３が作成される。ユーザは、携帯端末４で二次元コード３２を読み取り、制御装置１にアクセスして動画データを受信・再生し、画像３１に対応する動画を視聴することができる。
【００２１】
これにより、ユーザはイベント会場で撮影した画像がプリントされたプリント物を、イベント会場において速やかに入手することができる。また、携帯端末４を用いてプリント物３の二次元コード３２から制御装置１にアクセスすると、プリント物３の画像３１に紐付けられた動画を楽しむことができる。
【００２２】
例えば、サーバシステムが結婚披露宴会場に設置された場合、披露宴会場や教会で撮影した画像を披露宴会場でプリント物３に印刷することが出来るとともに、披露宴や結婚式の様子を撮影した動画をプリント物３に重畳して再生することができる。
【００２３】
図３は、携帯端末４のブロック構成図である。携帯端末４は、ＣＰＵ４０、メモリ４１、カメラ４２、通信部４３、及びディスプレイ（タッチパネル）４４を備える。
【００２４】
メモリ４１は、画像データ、動画データ、及び登録再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ（Random  Access  Memory）、ＳＲＡＭ（Static  Random  Access  Memory）、ＲＯＭ（Read-Only  Memory）、ＥＥＰＲＯＭ（Electrically  Erasable  Programmable  Read-Only  Memory）、ＰＲＯＭ（Programmable  Read-Only  Memory）、磁気メモリの少なくとも１つのタイプの記憶媒体を含む。また、メモリ４１は、カメラ４２で撮影された画像データ及び動画データを記憶する。
【００２５】
ＣＰＵ４０が登録再生アプリを実行することで、図４に示すように、登録部５０及び再生部７０が実現され、制御装置１へのデータ登録、制御装置１からの動画の取得・再生などが行えるようになる。
【００２６】
登録部５０は、画像選択部５１、動画選択部５２、及びデータ送信部５３を有する。
【００２７】
画像選択部５１は、メモリ４１に記憶されている１又は複数の画像データをディスプレイ４４にサムネイル表示し、ユーザから、制御装置１に登録する画像（プリント物３にプリントされる画像３１）の選択を受け付ける。
【００２８】
動画選択部５２は、メモリ４１に記憶されている１又は複数の動画データの選択画面をディスプレイ４４に表示し、ユーザから、制御装置１に登録する動画の選択を受け付ける。
【００２９】
データ送信部５３は、通信部４３を用いて、ユーザにより選択された画像データ及び動画データを制御装置１へ送信する。
【００３０】
再生部７０は、画像取得部７１、特徴点比較部７２、及び動画再生部７３を有する。
【００３１】
画像取得部７１は、カメラ４２を用いてプリント物３にプリントされた二次元コード３２からデータ保存場所情報を読み取り、通信部４３を介して制御装置１にアクセスし、画像３１に対応する画像データを取得する。また、画像取得部７１はカメラ４２を用いてプリント物３上の画像３１を取得する。
【００３２】
特徴点比較部７２は、制御装置１から取得した画像と、カメラ４２で撮影したプリント物３の画像３１との特徴点を比較する。特徴点が合致した場合、動画再生部７３は、制御装置１から動画データを受信する。特徴点が不一致の場合、ディスプレイ４４に再生不可であることが表示される。
【００３３】
動画再生部７３は、公知のＡＲ技術を用いて、受信した動画データを、カメラ４２で撮影しているプリント物３の画像３１に重畳させて再生する。例えば、検出した画像３１の特徴点を追跡してカメラ４２の位置姿勢を推定し、カメラ画像と動画の位置合わせを行う。
【００３４】
図５は制御装置１の構成図である。制御装置１は、データ受信部１２、コンテンツＩＤ生成部１３、コード化処理部１４、画像合成部１５、プリント制御部１６、画像データ送信部１７、動画データ送信部１８、及び記憶部１９を備え、例えばコンピュータ及び無線ルータにより構成される。
【００３５】
データ受信部１２は、携帯端末４から画像データ及び動画データを受信する。この時、コンテンツＩＤ生成部１３が、受信した画像データ及び動画データに対しコンテンツＩＤ（識別情報）を生成する。画像データ及び動画データは、コンテンツＩＤを対応付けて記憶部１９に格納される。これにより、画像データと動画データとが紐付けられる。
【００３６】
コード化処理部１４は、制御装置１にアクセスするためのＵＲＬ（位置情報）と、コンテンツＩＤとを含むデータ保存場所情報を作成し、このデータ保存場所情報をコード化して二次元コード画像を生成する。
【００３７】
画像合成部１５は、二次元コード画像を、受信した画像データに合成して合成画像を作成する。
【００３８】
プリント制御部１６は、合成画像をプリンタ２へ転送し、合成画像を印画紙にプリントするように制御する。プリンタ２は、例えば昇華型熱転写方式の高解像度カラープリンタであり、制御装置１と通信可能に接続されている。
【００３９】
画像データ送信部１７は、携帯端末４が動画の再生にあたりデータ保存場所情報に基づいて制御装置１にアクセスしてきた場合、このデータ保存場所情報に含まれるコンテンツＩＤに対応する画像データを携帯端末４へ送信する。
【００４０】
動画データ送信部１８は、携帯端末４からの要求に応じて、携帯端末４へ動画データを送信する。携帯端末４へ送信する動画データは、携帯端末４がアクセスしてきた際に用いたデータ保存場所情報に含まれるコンテンツＩＤに対応したものである。
【００４１】
記憶部１９は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４２】
図６は、本実施形態による画像・動画の登録及び動画再生の処理の流れを示す図である。以下、画像及び動画の登録を行うユーザ（携帯端末４）と、動画を再生するユーザ（携帯端末４）とが同じ場合について説明するが、異なっていてもよい。
【００４３】
サーバシステムが設置されたイベント会場において、ユーザが携帯端末４のカメラ４２で画像及び動画を撮影する（ステップＳ１０１）。
【００４４】
ユーザが、携帯端末４を操作し、登録再生アプリを実行して、登録モードを選択すると、メモリ４１内の画像データ及び動画データが選択できるようになる。ユーザが画像データ及び動画データを選択すると（ステップＳ１０２）、データ送信部５３が、選択された画像データ及び動画データを制御装置１へ送信する（ステップＳ１０３）。
【００４５】
制御装置１は、携帯端末４から画像データ及び動画データを受信すると、コンテンツＩＤを付与し、画像データ及び動画データを紐付けて記憶部１９に保存する（ステップＳ１０４）。
【００４６】
制御装置１は、制御装置１にアクセスするためのＵＲＬと、ステップＳ１０４で付与したコンテンツＩＤとを含むデータ保存場所情報を作成し、このデータ保存場所情報をコード化して二次元コード画像を生成する。制御装置１は、この二次元コード画像と、携帯端末４から転送された画像データとを合成して、合成画像を生成する（ステップＳ１０５）。
【００４７】
制御装置１は、合成画像をプリンタ２に転送する（ステップＳ１０６）。プリンタ２は、この合成画像を印画紙にプリントして出力する（ステップＳ１０７）。これにより、ユーザは、画像３１及び二次元コード３２がプリントされたプリント物３を入手することができる（ステップＳ１０８）。
【００４８】
ユーザが、携帯端末４の登録再生アプリを実行し、再生モードを選択すると、カメラ４２が起動し、ディスプレイ４４上に二次元コードの読み取り指示が表示される。カメラ４２でプリント物３の二次元コード３２を撮影することで、携帯端末４はデータ保存場所情報を取得する（ステップＳ１０９）。
【００４９】
携帯端末４の画像取得部７１は、データ保存場所情報に基づき、通信部４３を介して制御装置１にアクセスし、画像データを要求する（ステップＳ１１０）。制御装置１は、携帯端末４からアクセスされた際のデータ保存場所情報に含まれるコンテンツＩＤに対応する画像データを携帯端末４へ送信する（ステップＳ１１１）。
【００５０】
携帯端末４が制御装置１から画像データを受信すると、ディスプレイ４４上に画像３１の読み取り指示が表示される。カメラ４２でプリント物３の画像３１を撮影すると、特徴点比較部７２が、制御装置１から受信した画像と、カメラ４２で撮影した画像３１との特徴点を比較する（ステップＳ１１２）。特徴点が合致すると、携帯端末４は制御装置１に対し動画データを要求する（ステップＳ１１３）。
【００５１】
制御装置１は、ステップＳ１１１で携帯端末４へ送信した画像データに対応する動画データを携帯端末４へ送信する（ステップＳ１１４）。携帯端末４が動画データを受信すると、動画再生部７３が、公知のＡＲ技術を用いて、カメラ４２で撮影している画像３１に重畳させて動画データを再生する（ステップＳ１１５）。
【００５２】
このように、本実施形態によれば、イベント会場において携帯端末４で撮影した画像を、イベント会場内でプリントすることができる。また、プリント物３を携帯端末４で撮影することで、プリント物３に動画が重畳して再生されるように携帯端末４へ動画データを配信することができる。
【００５３】
上記実施形態では携帯端末４から１つの画像データ及び１つの動画データを登録する例について説明したが、複数の画像及び動画を登録してもよい。この場合、制御装置１は、画像及び動画の組み合わせ毎にコンテンツＩＤを付与する。
【００５４】
制御装置１は、携帯端末４から画像データ及び動画データを受信すると、プリンタ２から速やかにプリント物３を出力するようにしてもよいし、印刷開始の指示を受け付けてから出力してもよい。印刷開始の指示は、例えば事前に割り当てられているイベント参加者の個人ＩＤの入力、イベントコードの入力などである。
【００５５】
制御装置１は、携帯端末４から受信した画像データに含まれるＧＰＳ情報から、画像データがイベント会場で撮影されたものか否か判定し、イベント会場で撮影されたものについてのみプリント物３を出力するようにしてもよい。
【００５６】
制御装置１は、携帯端末４から画像データの登録のみ受け付け、画像データに紐付けられる動画データは、予め記憶部１９に保存されている動画データとしてもよい。制御装置１は、携帯端末４から受信した画像データと、予め記憶部１９に保存されている動画データとを組み合わせ、この組み合わせにコンテンツＩＤを付与する。動画データを複数準備し、画像データに組み合わせる動画データを、携帯端末４からの画像データ送信時にユーザが選択できるようにしてもよい。
【００５７】
例えば、イベント主催者が教会で撮影した結婚式の動画データを記憶部１９に保存しておく。その後、披露宴参加者が披露宴の様子を携帯端末４で撮影し、画像データを制御装置１に登録すると、画像データが結婚式の動画データと紐付けられると共に、プリント物３が作成される。披露宴参加者は、携帯端末４を用いてプリント物３の二次元コード３２を読み取り制御装置１にアクセスすると、披露宴会場において教会での結婚式の動画を楽しむことができる。
【００５８】
また、制御装置１は、携帯端末４から複数の画像データ（静止画）の登録を受け付け、これらの静止画をつなぎ、特定の音楽やエフェクトを付けて、適当な再生時間のスライドショー動画を自動作成してもよい。このスライドショー動画の動画データが画像データに紐付けられる。プリント物３にプリントされる画像は、携帯端末４からの画像データ送信時にユーザが選択できるようにしてもよいし、制御装置１が自動で選択してもよい。
【００５９】
サーバシステムは、１つ以上のデータ保存用の追加ローカルサーバをさらに備えていてもよい。制御装置１は、必要に応じて画像データ及び動画データを追加ローカルサーバに保存し、追加ローカルサーバにアクセスするためのＵＲＬを含むデータ保存場所情報をコード化して二次元コード画像を生成する。プリンタ２からは、この二次元コード画像がプリントされたプリント物３が出力される。携帯端末４でこの二次元コード画像を読み取ると、携帯端末４は追加ローカルサーバにアクセスし、動画を再生する。このように、追加ローカルサーバを用いてデータを分散保存することで、アクセス負荷を軽減することができる。
【００６０】
イベント終了後に制御装置１の記憶部１９に保存されている画像データ及び動画データを、外部接続（インターネット接続）されたサーバ装置に保存し、動画データを配信するようにしてもよい。これにより、イベント参加者は、イベント終了後、自宅などでも、携帯端末４を用いてプリント物３の二次元コード３２を読み取ってデータ保存場所情報を取得し、サーバ装置にアクセスして、動画を再生することができる。なお、二次元コード３２とは別に、このサーバ装置にアクセスするためのＵＲＬを含む二次元コードがプリント物３に別途プリントされていてもよい。
【００６１】
あるいはまた、１つの二次元コード３２に、制御装置１にアクセスするためのＵＲＬと、外部接続されたサーバ装置にアクセスするためのＵＲＬの２つの情報が含まれ、二次元コード３２を読み取った携帯端末４のアプリ側で、有効になっているＵＲＬを判別してアクセスするようにしてもよい。
【００６２】
制御装置１の記憶部１９に保存されているデータをサーバ装置に移す際に、色補正やフレーム合成等の編集を行ってもよい。また、サーバ装置に保存しているデータを制御装置１の記憶部１９に移し、別のイベント時に再利用してもよい。
【００６３】
上記実施形態によるサーバシステムが設置されるのはイベント会場に限定されず、学校や塾などの教育機関であってもよい。教育機関は、問題や問題に関する画像データと、問題の解説を行う動画データとを紐付けて制御装置１に登録する。プリンタ２は、問題や問題に関する画像３１と、二次元コード３２とを印画紙にプリントしてプリント物３を出力する。このプリント物３が生徒に配布される。
【００６４】
生徒は、配布されたプリント物３の問題を解くと、自身の携帯端末４のカメラでプリント物３上の二次元コード３２を撮影する。これにより、携帯端末４のカメラで撮影しているプリント物３に解説動画を重畳して再生することができる。
【００６５】
上述した実施形態で説明した制御装置１の少なくとも一部は、ハードウェアで構成してもよいし、ソフトウェアで構成してもよい。ソフトウェアで構成する場合には、制御装置１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６６】
また、制御装置１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６８】
１  制御装置
２  プリンタ
３  プリント物
４  携帯端末
【図１】
0006520439.tif 000002
【図２】
0006520439.tif 000003
【図３】
0006520439.tif 000004
【図４】
0006520439.tif 000005
【図５】
0006520439.tif 000006
【図６】
0006520439.tif 000007